(57)【要約】【課題】擬似点灯の発生を低減することが可能な構成の表示装置を提供する。【解決手段】表示装置は、導光拡散部２０と、意匠表示部１０と、を備える。導光拡散部２０は、導光板２１と、導光板２１が導いた第１光源６１からの光を拡散する光拡散部２２，２３と、を有する。意匠表示部１０は、光拡散部２２，２３により拡散された第１光源６１からの光を透過して出射することで点灯する指標表示部１００と、第２光源６２から出射されて導光板２１を透過した光を透過して出射することで点灯する警告表示部２００と、を有する。光拡散部２２，２３は、指標表示部１００と重なる領域には設けられているが、警告表示部２００と重なる領域には設けられておらず、意匠表示部１０には、警告表示部２００を覆う低透過率部１３が設けられている。【選択図】図３
2014048067.tif 000002
【特許請求の範囲】
【請求項１】
第１光源と、
前記第１光源が出射した光を導光する導光板と、前記導光板の表側の面と裏側の面とのうち少なくとも一方に設けられ、前記導光板が導いた前記第１光源からの光を拡散する光拡散部と、を有する導光拡散部と、
前記導光拡散部の裏側に位置する第２光源と、
前記第１光源からの光で第１の意匠を点灯させて表示する第１点灯表示部と、前記第２光源からの光で第２の意匠を点灯させて表示する第２点灯表示部と、を有し、前記導光拡散部の表側に位置する意匠表示部と、を備え、
前記第１点灯表示部は、前記光拡散部により拡散された前記第１光源からの光を透過して出射することで、前記第１の意匠を点灯させて表示し、
前記第２点灯表示部は、前記第２光源から出射されて前記導光板を透過した光を透過して出射することで、前記第２の意匠を点灯させて表示し、
前記光拡散部は、前記導光板の表側の面又は裏側の面の法線方向から見て、前記第１点灯表示部と重なる領域には設けられているが、前記第２点灯表示部と重なる領域には設けられておらず、
前記意匠表示部には、前記法線方向から見て前記第２点灯表示部を覆う低透過率部が設けられ、この低透過率部は、それが設けられていない場合の第２点灯表示部の透過率よりも、それが設けられた場合の前記第２点灯表示部の透過率を低くする、
ことを特徴とする表示装置。
【請求項２】
前記意匠表示部には、前記法線方向から見て前記第２点灯表示部を覆い、前記第２光源から出射されて前記導光板を透過した光を透過するとともに拡散する光透過拡散部が設けられている、
ことを特徴とする請求項１に記載の表示装置。
【請求項３】
前記導光板の表側の面と裏側の面とのうち少なくとも一方には、前記導光板よりも光の屈折率が低い低屈折率部が設けられ、
前記低屈折率部は、前記法線方向から見て前記第２点灯表示部と重なる領域には設けられていない、
ことを特徴とする請求項１又は２に記載の表示装置。
【請求項４】
前記導光拡散部と前記意匠表示部とは、別部材である、
ことを特徴とする請求項１乃至３のいずれか１項に記載の表示装置。
【請求項５】
前記意匠表示部の表側で回転する指針と、
前記指針の裏側に位置し、前記第１光源からの光が入射し、入射した光を前記導光板に導く導光体と、をさらに備え、
前記第１点灯表示部は、前記指針の指示箇所に対応して設けられる指標を表す前記第１の意匠を表示する指標表示部であり、
前記第２点灯表示部は、所定の警告情報を表す前記第２の意匠を表示する警告表示部であり、
前記導光板には、前記指針の回転軸を通過させる貫通孔が形成され、この貫通孔を形作る前記導光板の内壁部から、前記導光体が出射した光が前記導光板に入射し、
前記第１光源は、前記導光体の裏側に位置し、
前記導光体は、前記第１光源と対向し、前記第１光源からの光が入射する入射部と、前記内壁部と対向し、前記入射部に入射して前記導光体内部に導かれた前記第１光源からの光を出射する出射部と、を有し、
前記第１点灯表示部は、前記導光体を介して前記内壁部に入射し、前記導光板に導かれ、前記光拡散部により拡散された前記第１光源からの光を透過して出射することで、前記第１の意匠を点灯させて表示し、
前記表示装置は、前記指針と前記指標とを対比させることにより計測量を報知する計器装置として構成されている、
ことを特徴とする請求項１乃至４のいずれか１項に記載の表示装置。
【発明の詳細な説明】
【技術分野】
【０００１】
本発明は、表示装置に関する。
【背景技術】
【０００２】
従来の表示装置として、例えば、特許文献１に開示されたものがある。特許文献１に開示された表示装置は、自動車などの速度計として構成され、光源からの光を導入して、出射する導光部材と、この導光部材が出射した光を裏側から受けて拡散させる光拡散板と、この光拡散板で拡散した光によって透過照明される目盛り板（意匠表示部）と、を備えるものである（同文献の図１等参照）。
【先行技術文献】
【特許文献】
【０００３】
【特許文献１】特開２００３−２７０００３号公報
【発明の概要】
【発明が解決しようとする課題】
【０００４】
特許文献１に係る表示装置の構成では、例えば、意匠表示部に形成された目盛り部が点灯する点灯表示部（ここでは、説明便宜上、第１点灯表示部という）として構成される。このような構成で、目盛り部以外に、意匠表示部に、目盛り部を点灯させる光源とは独立した光源により点灯する第２点灯表示部を形成した場合を考える。この場合、第２点灯表示部を点灯させる光源を消灯して第２点灯表示部を消灯させたいにもかかわらず、第１点灯表示部を点灯させる光源からの光が光拡散板で拡散され、第２点灯表示部が点灯してしまうことがあった（以下、このように所望の点灯表示部とは別の点灯表示部が意図せず点灯してしまうことを「擬似点灯」という）。擬似点灯が発生すると、表示装置の表示品位が低下するため、好ましくない。
【０００５】
本発明は、上記実状に鑑みてなされたものであり、擬似点灯の発生を低減することが可能な構成の表示装置を提供することを目的とする。
【課題を解決するための手段】
【０００６】
本発明に係る表示装置は、
第１光源と、
前記第１光源が出射した光を導光する導光板と、前記導光板の表側の面と裏側の面とのうち少なくとも一方に設けられ、前記導光板が導いた前記第１光源からの光を拡散する光拡散部と、を有する導光拡散部と、
前記導光拡散部の裏側に位置する第２光源と、
前記第１光源からの光で第１の意匠を点灯させて表示する第１点灯表示部と、前記第２光源からの光で第２の意匠を点灯させて表示する第２点灯表示部と、を有し、前記導光拡散部の表側に位置する意匠表示部と、を備え、
前記第１点灯表示部は、前記光拡散部により拡散された前記第１光源からの光を透過して出射することで、前記第１の意匠を点灯させて表示し、
前記第２点灯表示部は、前記第２光源から出射されて前記導光板を透過した光を透過して出射することで、前記第２の意匠を点灯させて表示し、
前記光拡散部は、前記導光板の表側の面又は裏側の面の法線方向から見て、前記第１点灯表示部と重なる領域には設けられているが、前記第２点灯表示部と重なる領域には設けられておらず、
前記意匠表示部には、前記法線方向から見て前記第２点灯表示部を覆う低透過率部が設けられ、この低透過率部は、それが設けられていない場合の第２点灯表示部の透過率よりも、それが設けられた場合の前記第２点灯表示部の透過率を低くする、
ことを特徴とする。
【発明の効果】
【０００７】
本発明によれば、擬似点灯の発生を低減することが可能な構成の表示装置を提供することができる。
【図面の簡単な説明】
【０００８】
【図１】本発明の一実施形態に係る計器装置の平面図である。
【図２】（ａ）は、意匠表示部の平面図である。（ｂ）は、導光拡散部の平面図である。
【図３】図１に示す計器装置のＡ−Ａ線概略断面図である。
【図４】（ａ）は、変形例に係る警告表示部を説明するための図である。（ｂ）は、変形例に係る光透過拡散部を説明するための図である。
【発明を実施するための形態】
【０００９】
本発明の一実施形態に係る表示装置を、図面を参照して説明する。
【００１０】
本発明の一実施形態に係る表示装置は、図１に示す計器装置１である。
計器装置１は、車両に搭載されるものであり、後述する指針５０と指標表示部１００とを対比判読させることによりユーザ（主に車両の運転者）に、所定の計測値（例えば車速）を報知する。また、計器装置１は、後述する警告表示部２００を点灯させることで、所定の警告情報をユーザに報知する。
【００１１】
なお、以下では、計器装置１の構成の理解を容易にするため、計器装置１を正視するユーザ側を計器装置１の表側方向とし、その反対側を裏側方向として、計器装置１を構成する各部を、適宜、説明する。この表側方向は、図３に示す計器装置１の概略断面図における紙面上方向に対応し、この裏側方向は、図３に示す計器装置１の概略断面図における紙面下方向に対応する。
【００１２】
計器装置１は、図１〜図３に示すように、意匠表示部１０と、導光拡散部２０と、回路基板３０と、モータ４０と、指針５０と、第１光源６１と、第２光源６２と、ホルダ７０と、導光体８０と、を備える。
【００１３】
意匠表示部１０は、主に図２（ａ）及び図３に示すように、透明板１１と、遮光部１２と、低透過率部１３と、光透過拡散部１４と、を備え、指標表示部１００及び警告表示部２００を表現（表示）する部分である。
【００１４】
図３に示す透明板１１は、所定の樹脂材料からなる透明な板状部材である。透明板１１は、無色透明でも有色透明でもよい。透明板１１には、図２（ａ）及び図３に示すように、モータ４０の後述する回転軸４１を通すための貫通孔１１ａが形成されている。なお、図３では、透明板１１の断面を示すハッチングを省略している。
【００１５】
遮光部１２は、透明板１１の裏面上に遮光性のインク等を、印刷、塗装等することによって、形成される層である。遮光部１２は、例えば、黒色、濃紺色等である。遮光部１２は、単色であってもよいし、複数色で形成されていてもよい。
意匠表示部１０は、透明板１１において遮光部１２が形成されていない部分において、指標表示部１００及び警告表示部２００を表現する。つまり、指標表示部１００及び警告表示部２００は、いわゆる抜き文字状に表現され、透光性を有する。
【００１６】
指標表示部１００は、指針５０と協同してユーザに所定の計測値（例えば車速）を報知するための部分であり、指針５０の指示箇所に対応して設けられる指標を表す意匠を表示する。
具体的には、本実施形態に係る指標表示部１００は、図１、図２（ａ）に示すように、指針５０を囲むように円弧状に配列された複数の目盛１０１及び数字１０２からなる。図示しないが、指標表示部１００は、計測値の単位を表す文字（例えば、「ｋｍ／ｈ」）や、記号等を含んでいてもよい。
後述するように、指標表示部１００は、第１光源６１からの光で複数の目盛１０１及び数字１０２を点灯させて表示する。
【００１７】
警告表示部２００は、所定の警告情報を表す意匠を表示する部分（所定の警告情報を報知するための部分）である。
具体的には、警告表示部２００は、図１、図２（ａ）に示すように、記号２０１からなる。本実施形態では、記号２０１は、車両のサイドブレーキをかけた状態において点灯するエクスクラメーションマークを表している。図示しないが、警告表示部２００は、その他の記号、文字（数字を含む）、図形等を含んでいてもよい。
後述するように、警告表示部２００は、第２光源６２からの光で記号２０１を点灯させて表示する。
【００１８】
低透過率部１３は、透明板１１における警告表示部２００形成箇所の表側の面上に、例えば、スモーク塗料を印刷、塗装等を施すことによって、形成される層である。低透過率部１３は、図２（ａ）、図３に示すように、透明板１１の主面法線方向（図３における上下方向）において警告表示部２００形成箇所を覆う第１の領域Ｄ１に渡って形成されている。低透過率部１３は、一例として、図２（ａ）に示すように矩形状に形成されている。なお、低透過率部１３は、その他の形状であってもよく、例えば、警告表示部２００の記号２０１の形状に併せて形成されていてもよい。
低透過率部１３は、それが設けられていない場合の警告表示部２００の透過率よりも、それが設けられた場合の警告表示部２００の透過率を低くする。この低透過率部１３は、第２光源６２の点灯時には、十分にその光を表側に透過させることで警告表示部２００を照明できるが、第２光源６２の非点灯時には、警告表示部２００がほとんどユーザに視認（識別）されなくなる程度の透過率を有するように適宜調整されている。
【００１９】
光透過拡散部１４は、透明板１１における警告表示部２００形成箇所の裏側の面上に、光透過性及び光拡散性を有する材料を、印刷、塗装等を施すことによって、形成される層である。光透過拡散部１４は、図２（ａ）、図３に示すように、透明板１１の主面法線方向において警告表示部２００の形成箇所を覆う第１の領域Ｄ１に渡って形成されている。第１の領域Ｄ１は、一例として、図２（ａ）に示す矩形状の領域である。なお、第１の領域Ｄ１は、その他の形状であってもよく、例えば、警告表示部２００の記号２０１の形状に併せて形成されていてもよい。
【００２０】
以上のようにして、意匠表示部１０は、指標表示部１００及び警告表示部２００を表現する。つまり、意匠表示部１０は、第１光源６１からの光で複数の目盛１０１及び数字１０２を点灯させて表示する指標表示部１００と、第２光源６２からの光で記号２０１を点灯させて表示する警告表示部２００と、を有する。
【００２１】
導光拡散部２０は、図３に示すように、意匠表示部１０の裏側に位置し、導光板２１と、第１光拡散部２２と、第２光拡散部２３と、第１低屈折率部２４と、第２低屈折率部２５と、遮光部２６と、を備える。
【００２２】
導光板２１は、所定の樹脂材料からなる透明な板状部材である。具体的には、導光板２１は、ポリカーボネート系樹脂（光の屈折率は約１．６）、アクリル系樹脂（光の屈折率は約１．４９）、シリコン系樹脂（光の屈折率は約１．５）等から形成されている。
導光板２１には、モータ４０の後述する回転軸４１を通すための貫通孔２１ａが形成されている。導光板２１のうち、貫通穴２１ａを形作る内壁部２１ｂは、導光体８０が出射した光を、導光板２１内部に入光させる入光部として機能する。なお、図３では、導光板２１の断面を示すハッチングを省略している。
【００２３】
第１光拡散部２２及び第２光拡散部２３は、図３に示すように、各々、導光板２１の面上に、光拡散性を有する材料を、印刷、塗装等を施すことによって、形成される層である。第１光拡散部２２は、導光板２１の表側の面上に形成され、第２光拡散部２３は、導光板２１の裏側の面上に形成されている。第１光拡散部２２と第２光拡散部２３とのうち、少なくとも表側の第１光拡散部２２は、透光性を有して形成されている。
【００２４】
なお、ここでいう拡散とは、乱反射、散乱、屈折、反射等によって、光の進路が変更されることを適宜含む。例えば、導光板２１の表側の面上に形成された第１光拡散部２２は、散乱、屈折等によって、光を拡散する。また、例えば、導光板２１の裏側の面上に形成された第２光拡散部２３は、反射、乱反射、散乱等によって、光を拡散する（前述した透明板１１の裏側の面上に形成された光透過拡散部１４についても同様）。
このように、第１、第２光拡散部２２、２３の拡散の性質は、拡散する光を、表裏の何れの方向に進ませるかによって、適宜、変更可能である。
【００２５】
第１光拡散部２２及び第２光拡散部２３は、各々、図２（ｂ）、図３に示すように、導光板２１の主面法線方向において指標表示部１００の形成箇所を覆う第２の領域Ｄ２に渡って形成されている。第２の領域Ｄ２は、一例として、図２（ｂ）に示すように略扇形状に形成されている。なお、第２の領域Ｄ２は、その他の形状であってもよく、例えば、指標表示部１００を構成する複数の目盛１０１、数字１０２各々の形状に併せて形成されていてもよい。
第１光拡散部２２及び第２光拡散部２３は、導光板２１の主面法線方向（透明板１１の主面法線方向と同じ）において、意匠表示部１０の指標表示部１００と重なる領域に設けられているが、警告表示部２００と重なる領域には設けられていない。このようにした理由は、後に説明する。
【００２６】
第１低屈折率部２４及び第２低屈折率部２５は、第１光拡散部２２及び第２光拡散部２３が形成された導光板２１を挟んで、その両面を覆うように設けられる。第１低屈折率部２４は、導光板２１の表側の面上に設けられ、第２低屈折率部２５は、導光板２１の裏側の面上に設けられている。
【００２７】
第１低屈折率部２４及び第２低屈折率部２５は、導光板２１よりも光の屈折率が低い合成樹脂を用いて、印刷、塗装等によって形成される透明の層である（有色透明であってもよい）。
具体的には、第１低屈折率部２４及び第２低屈折率部２５は、アクリル系樹脂（光の屈折率は約１．４９）、シリコン系樹脂（光の屈折率は約１．５）、テトラフルオロエチレンやポリテトラフルオロエチレン（ポリエチレンの一種、光の屈折率は約１．３５）等によって形成されている。なお、第１低屈折率部２３と第２低屈折率部２４とは、それぞれ異なる材料により形成されてもよい。
【００２８】
第１低屈折率部２４及び第２低屈折率部２５は、各々、図２（ｂ）、図３に示すように、導光板２１の主面法線方向から見て指標表示部１００の形成箇所を覆うように形成されているが、第１の領域Ｄ１近傍には形成されていない（例えば、図３に示すように、図中、回転軸４１よりも右側には形成されているが、左側には形成されていない）。
つまり、第１低屈折率部２４及び第２低屈折率部２５は、導光板２１の主面法線方向において、意匠表示部１０の指標表示部１００と重なる領域に設けられているが、警告表示部２００と重なる領域には設けられていない。このようにした理由は、後に説明する。
【００２９】
ここで、第１低屈折率部２４と導光板２１との界面、又は、第２低屈折率部２５と導光体２１との界面で、導光板２１によって導光された光は全反射する。
全反射とは、屈折率が大きい媒質（導光板２１）から小さい媒質（第１、第２低屈折率部２４、２５）に光が入射しようとするときに、入射しようとする光が界面を透過せず、その全て（略全てを含む）が反射する現象をいう。全反射は、光の入射角が、隣り合う媒質（ここでは、導光板２１と第１低屈折率部２４、導光板２１と第２低屈折率部２５）の各屈折率により決まる角度（臨界角）よりも大きい場合に起こる。
導光板２１に内壁部２１ｂから入射した光は、その殆どが、臨界角よりも大きい入射角で第１低屈折率部２４又は第２低屈折率部２５に到達するので、導光板２１と第１低屈折率部２４又は第２低屈折率部２５との界面に到達した光は、全反射する。
【００３０】
遮光部２６は、第２の領域Ｄ２以外の領域（つまり、第１低屈折率部２４、第２低屈折率部２５、第１光拡散部２２、及び、第２光拡散部２３が形成されていない領域）における、導光板２１の両面上（表面及び裏面上）に遮光性のインク等を印刷、塗装等を施すことによって、形成される層である。遮光部２６は、例えば、黒色、濃紺色等である。
【００３１】
但し、導光板２１の主面法線方向から見て、意匠表示部２００と重なる領域には、遮光部２６は、形成されていない（いわゆる抜き文字状）。これにより、第２光源６２から出射された光は、導光拡散部２０（導光板２１）を透過し、警告表示部２００を照明することが可能となっている。
具体的には、遮光部２６は、導光板２１の主面法線方向から見て警告表示部２００と重なる領域では、図２（ｂ）に示すように、警告表示部２００を構成する記号２０１の形状より一回り大きい形状でくり抜かれている。これにより、導光拡散部２０の意匠表示部２００と対応する領域は、第１低屈折率部２４、第２低屈折率部２５、第１光拡散部２２、及び、第２光拡散部２３に加え、遮光部２６も形成されていない非形成領域Ｕとなっている。
【００３２】
以上に説明した意匠表示部１０と導光拡散部２０とは、本実施形態では、別部材として構成されている。ここで、両者が別部材であるとは、計器装置１の組み付け前において、物理的に両者を離すことができる等を言う。つまり、この実施形態においては、導光拡散部２０に直接印刷等により所定の意匠が形成されてはおらず、意匠表示部１０は、主に、所定の意匠を表示するために設けられ、導光拡散部２０は、主に、第１光源６１からの光を導光するために設けられており、両者の役割が異なっている。
なお、図３においては、見やすさを考慮して、意匠表示部１０と導光拡散部２０とが所定間隔を空けて配置されているように概略的に示したが、両者は当接していてもよい。
【００３３】
回路基板３０は、図３に示すように、導光拡散部２０の裏側に所定間隔を空けて位置する。回路基板３０は、計器装置１全体の動作を制御する制御部（図示せず）等が実装されたプリント回路板からなる。この制御部は、ＣＰＵ（Central Processing Unit）等を含むマイクロコンピュータからなり、例えば、計器装置１の外部（例えば、計器装置１の搭載車両のＥＣＵ（Electronic Control Unit））から供給される信号（車速等を示す信号）に応じて、モータ４０を駆動制御する。また、制御部は、適宜、第１光源６１、第２光源６２を発光させる。
【００３４】
モータ４０は、例えば、ステッピングモータからなり、回路基板３０に実装されている。モータ４０は、回路基板３０の基材に裏側から取り付けられており、基材に設けられた貫通孔３１を通過して表側方向に延びる回転軸４１を有する。モータ４０は、前述の制御部の制御のもとで回転軸４１を回転させる。回転軸４１には、指針５０が取り付けられる。
【００３５】
指針５０は、回転軸４１の回転に伴って回転する。指針５０は、意匠表示部１０の表側で回転し、指標表示部１００の目盛１０１（または、目盛１０１の間）を指示する。前述の制御部は、外部から供給される車速のデータに応じた回転角でモータ４０の回転軸４１を回転させるので、指針５０は車速に応じた角度で回転して目盛１０１を指示することができる。
計器装置１は、指針５０と指標表示部１００とを対比判読させることで、計測値（例えば、車速）をユーザに報知する。
【００３６】
指針５０は、導光指針部５１と、指針キャップ５２と、を備える。
導光指針部５１は、指標表示部１００を指示する部分であり、ポリカーボネート系樹脂、アクリル系樹脂等の導光性材料から形成され、第１光源６１からの光により発光する。導光指針部５１は、その裏側から入射した光を、導光指針部５１の先端側（図３中右側）に効率良く反射させる反射面５１ａを有する。指針５０のうち導光指針部５１が、モータ４０の回転軸４１に取り付けられる部分である（例えば、回転軸４１に圧入されている）。なお、図３では、導光指針部５１の断面を示すハッチングを省略している。
指針キャップ５２は、導光指針部５１の回転軸４１近傍を上側から覆う部材であり、所定の樹脂材料により遮光性を有して形成されている。これにより、余分な光が導光指針部５１から漏れ出ることを抑制している。
【００３７】
第１光源６１及び第２光源６２は、例えば、ＬＥＤ（Light Emitting Diode）からなり、回路基板３０に実装されている。第１光源６１及び第２光源６２は、回路基板３０の基材表側に取り付けられており、前述の制御部の制御のもとで、適宜、発光することで、表側方向に光を出射する。図３では、両者ともに１つずつ示したが、複数あってもよい。
【００３８】
第１光源６１は、指針５０及び指標表示部１００を照明するために設けられている。第１光源６１は、例えば、白色に発光する。第１光源６１が、どのようにして指針５０及び指標表示部１００を照明するかは後に述べる。
第２光源６２は、警告表示部２００を照明するために設けられている。第２光源６２は、例えば、赤色に発光する。第２光源６２が、どのようにして警告表示部２００を照明するかは後に述べる。
【００３９】
ホルダ７０は、導光拡散部２０と回路基板３０との間に位置し、例えば、白色系の合成樹脂からなる部材である。ホルダ７０は、その表側で、導光拡散部２０を保持する。ホルダ７０の裏側は、回路基板３０に取り付けられている。
【００４０】
ホルダ７０は、互いに独立した空間部である第１照明室７１と第２照明室７２とを有して形成されている。
第１照明室７１内には、第１光源６１が位置する。また、ホルダ７０は、第１照明室７１近傍（例えば、図示しない内壁部）で、導光体８０を保持している。これにより、図３に示すように、導光体８０の大部分が第１照明室７１内に位置する。
第２照明室７２内には、第２光源６２が位置する。第２照明室７２は、第２光源６２からの光を効率良く表側に導く。
【００４１】
導光体８０は、ポリカーボネート系樹脂、アクリル系樹脂等からなる略円筒形状の導光部材（透明部材）であり、モータ４０の回転軸４１を取り囲んでいる。なお、図３では、導光体８０の断面を示すハッチングを省略している。
【００４２】
導光体８０の底面部には、第１光源６１と対向し、第１光源６１からの光を受ける受光面８１が形成されている。
また、導光体８０の表側には、受光面８１と概ね対向し、受光面８１から入射し、表側に導かれた光を、導光板２１の主面（表側の面又は裏側の面）と平行な方向に効率良く反射させる反射面８２が形成されている。
また、導光体８０の上端部（図３における上端部）の側周には、導光板２１の内壁部２１ｂと対向し、受光面８１から導光体８０に入射して反射面８２で反射した光（第１光源６１からの光）が出射される出射面８３が形成されている。
【００４３】
計器装置１は、上記に説明したものの他、図示しない筐体を有する。この筐体は、所定の樹脂からなる箱形状の部材であり、その内部に、上記各部（意匠表示部１０、導光拡散部２０、回路基板３０、モータ４０、指針５０、第１光源６１、第２光源６２、ホルダ７０、及び導光体８０）を収納する。筐体の表側には、可視光透過性のあるガラス又は合成樹脂からなる透過部材が設けられており、意匠表示部１０、指針５０が視認可能となっている。
【００４４】
ここからは、第１光源６１がどのようにして指針５０及び指標表示部１００を照明するか、及び、第２光源６２がどのようにして警告表示部２００を照明するか、について、主に図３を参照して説明する。
【００４５】
（指針５０及び指標表示部１００の照明）
第１光源６１から出射された光は、第１光源６１と対向する導光体８０の受光面８１に入射する。受光面８１に入射した光は、導光体８０に導かれ、図３における上方に向かい、反射面８２に到達する。
【００４６】
反射面８２に到達した光の一部は、反射面８２で反射されずにそのまま上方に向かい、貫通孔２１ａと貫通孔１１ａを通過し、指針５０の導光指針部５１の裏面から導光指針部５１に入射する。導光指針部５１に入射した光は、反射面５１ａで効率良く反射し、導光指針部５１の先端部に向かう。このようにして、指針５０の導光指針部５１は、第１光源６１からの光により発光する。
【００４７】
一方、反射面８２に到達し、反射面８２で反射した光は、導光体８０の出射面８３から出射される。出射面８３から出射された光は、出射面８３と対向する導光板２１の内壁部２１ｂから導光板２１に入射する。導光板２１に入射した光は、導光板２１と第１低屈折率部２４、又は、導光板２１と第２低屈折率部２５との界面で全反射を繰り返し、導光板２１の内部を進む（図３中、導光体８０よりも右側を参照）。このようにして、導光板２１は、第１光源６１から出射された光を導光する。導光板２１の内部を進む光の一部は、第２光拡散部２３に到達する。第２光拡散部２３に到達した光は、拡散される。
第２光拡散部２３によって拡散された光のうち表側（図３における上方）に向かい第１光拡散部２２に到達した光、及び、第２光拡散部２３を介さずに第１光拡散部２２に到達した光は、第１光拡散部２２を透過し、且つ、第１光拡散部２２で拡散される。ここで、導光板２１の表側の面への入射角が臨界角よりも小さい光は、全反射せず、第１光拡散部２２及び第１低屈折率部２４を介して、指標表示部１００を透過する。これにより、指標表示部１００は、第１光源６１からの光により照らされる（つまり、指標表示部１００が点灯する）。
このようにして、遮光部１２によって表された意匠が暗く見え、指標表示部１００が光って見えることになる。
【００４８】
（警告表示部２００の照明）
第２光源６２から出射された光は、導光板２１の裏側の面に到達する。
ここで、第２光源６２から出射された光のうち、直接、導光板２１に到達しない光も、第２照明室７２内で反射を繰り返すことにより、導光板２１の裏側の面に到達する。このようにして、第２光源６２からの光は、光量の損失が抑えられ、効率良く、導光板２１の裏側の面に到達する。
導光板２１の裏側の面に到達した光は、導光板２１を透過して、意匠表示部１０に向かう。導光拡散部２０において、第２光源６２と概ね対向する位置は、遮光部２６、第１光拡散部２２、及び、第２光拡散部２３等が形成されていない非形成領域Ｕとなっているため、第２光源６２からの光は、導光板２１を透過でき、且つ、第１光拡散部２２及び第２光拡散部２３によって拡散されない。
意匠表示部１０に到達した光は、光透過拡散部１４を透過するとともに、光透過拡散部１４で拡散され、透明板１１（つまり、警告表示部２００の形成領域）及び低透過率部１３を透過する。これにより、警告表示部２００は、第２光源６２からの光により照らされる（つまり、警告表示部２００が点灯する）。
このようにして、遮光部１２によって表された意匠が暗く見え、警告表示部２００が光って見えることになる。
【００４９】
ここで、計器装置１は、第２光源６２を消灯して、警告表示部２００を点灯させたくないときであっても、第１光源６１からの光によって意図せず警告表示部２００が点灯してしまう擬似点灯の発生が効果的に低減される構成となっている。以下、計器装置１が擬似点灯の発生をどのように低減しているかについて説明する。
【００５０】
前述のように第１光源６１から出射された光の一部は、導光体８０を介して、内壁部２１ｂから導光板２１に入射する。
導光板２１に入射した光のうち、指標表示部１００側に向かう光は（図３中、導光体８０よりも右側を参照）、前述のように導光板２１と第１低屈折率部２４、又は、導光板２１と第２低屈折率部２５との界面で全反射を繰り返し、導光板２１の内部を効率的に進むが、警告表示部２００側に向かう光は（図３中、導光体８０よりも左側を参照）、第１の領域Ｄ１近傍には、第１、第２低屈折率部２４、２５が形成されておらず、且つ、遮光部２６が形成されているため、導光板２１の内部を効率的には進まない（例えば、導光板２１の内部を進んで警告表示部２００側に向かう光の一部は、遮光部２６で吸収されたりする）。
ここで、例え、第１光源６１からの光が、導光板２１の内部を進んで警告表示部２００の裏側に到達したとしても、導光拡散部２０の警告表示部２００と対向する位置は、第１光拡散部２２及び第２光拡散部２３が形成されていない非形成領域Ｕとなっているため、第１光源６１からの光は、表側に向かって拡散されないため、意図せず警告表示部２００を点灯させる光にはなりにくい。
さらには、警告表示部２００には、低透過率部１３が設けられている。これにより、仮に、第１光源６１からの光の一部が、警告表示部２００を点灯させる光として寄与してしまっても、これは微量な光であると考えられるため、低透過率層１３を十分に透過して、ユーザの目に到達することは困難である。
このようにして、計器装置１によれば、擬似点灯の発生を低減する（又は、無くす）ことができる。この効果は、計器装置１が以下の構成を有することによって実現される。
【００５１】
計器装置１は、第１光源６１と、第１光源６１が出射した光を導光する導光板２１と、導光板２１の表側の面と裏側の面とに設けられ、導光板２１が導いた第１光源６１からの光を拡散する第１，第２光拡散部２２，２３と、を有する導光拡散部２０と、導光拡散部２０の裏側に位置する第２光源６２と、第１光源６１からの光で目盛１０１、数字１０２（第１の意匠の一例）を点灯させて表示する指標表示部１００（第１点灯表示部の一例）と、第２光源６２からの光で記号２０１（第２の意匠の一例）を点灯させて表示する警告表示部２００（第２点灯表示部の一例）と、を有し、導光拡散部２０の表側に位置する意匠表示部１０と、を備え、指標表示部１００は、第１，第２光拡散部２２，２３により拡散された第１光源６１からの光を透過して出射することで、目盛１０１、数字１０２を点灯させて表示し、警告表示部２００は、第２光源６２から出射されて導光板２１を透過した光を透過して出射することで、記号２０１を点灯させて表示し、第１，第２光拡散部２２，２３は、導光板２１の表側の面又は裏側の面の法線方向から見て、指標表示部１００と重なる領域には設けられているが、前記警告表示部２００と重なる領域には設けられておらず、意匠表示部１０には、前記法線方向から見て警告表示部２００を覆う低透過率部１３が設けられ、この低透過率部１３は、それが設けられていない場合の警告表示部２００の透過率よりも、それが設けられた場合の警告表示部２００の透過率を低くする。
【００５２】
また、意匠表示部１０には、前記法線方向から見て警告表示部２００を覆い、第２光源６２から出射されて導光板２１を透過した光を透過するとともに拡散する光透過拡散部１４が設けられている。
これにより、警告表示部２００の擬似点灯を防止しつつも、第２光源６２からの光によって警告表示部２００が、効率良く、照明される。
【００５３】
また、導光板２１の表側の面と裏側の面には、導光板２１よりも光の屈折率が低い第１，第２低屈折率部２４，２５が設けられ、第１，第２低屈折率部２４，２５は、前記法線方向から見て、指標表示部１００と重なる領域には設けられているが、警告表示部２００と重なる領域には設けられていない。
これにより、前述したように指標表示部１００に効率よく光を導光できる一方で、擬似点灯に寄与するおそれのある光を警告表示部２００側に極力導光させないようにすることができる。
【００５４】
また、導光拡散部２０と意匠表示部１０とは、別部材である。
このように別部材とし、両者の役割（主に意匠を表示するという役割と、第１光源６１からの光を導光するという役割）を分けたことにより、両者の役割を１つの部材にもたせた場合に比べ、設計の自由度が高くなる。これにより、例えば、意匠表示部１０における意匠表現を豊かにすることも可能である。
【００５５】
また、計器装置１は、意匠表示部１０の表側で回転する指針５０と、指針５０の裏側に位置し、第１光源６１からの光が入射し、入射した光を導光板２１に導く導光体８０と、をさらに備え、導光板２１には、指針５０の回転軸４１を通過させる貫通孔２１ａが形成され、この貫通孔２１ａを形作る導光板２１の内壁部２１ｂから、導光体８０が出射した光が導光板２１に入射し、第１光源６１は、導光体８０の裏側に位置し、導光体８０は、第１光源６１と対向し、第１光源６１からの光が入射する受光面８１（入射部の一例）と、内壁部２１ｂと対向し、受光面８１に入射して導光体８０内部に導かれた第１光源６１からの光を出射する出射面８３（出射部の一例）と、を有し、指標表示部１００は、導光体８０を介して内壁部２１ｂに入射し、導光板２１に導かれ、第１，第２光拡散部２２，２３により拡散された第１光源６１からの光を透過して出射することで、目盛１０１、数字１０２を点灯させて表示し、計器装置１は、指針５０と指標（目盛１０１、数字１０２）とを対比させることにより計測量を報知する。
このような計器装置１によれば、上記のように擬似点灯を抑制できるのみならず、指針５０と指標表示部１００とを共通の光源（第１光源６１）で照明することができる。そのため、計器装置を構成する部品点数の削減、コストの低減が可能である。
【００５６】
なお、本発明は以上の実施形態及び図面によって限定されるものではない。本発明の要旨を変更しない範囲で、適宜、変更（構成要素の削除も含む）を加えることが可能である。以下にその一例を示す。
【００５７】
以上の説明では、意匠表示部１０において、警告表示部２００が、いわゆる抜き文字状に表現され、透光性を有する例を示したがこれに限られない。
図４（ａ）に示すように、警告表示部２００が表示する記号２０１の周囲を縁取るように透光性の領域を形成してもよい。この場合においても、警告表示部２００が、第２光源６２からの光で記号２０１を点灯させて表示することには変わりはない。また、この場合においても、図４（ａ）に示す第１の領域Ｄ１に低透過率部１３、光透過拡散部１４を形成すればよい。
図示しないが、指標表示部１００についても、同様に、目盛１０１、数字１０２の各々を縁取るように透光性の領域を形成してもよい。
【００５８】
以上の説明では、指標表示部１００及び警告表示部２００が、意匠表示部１０における遮光部１２が形成されていない領域により、表現される例を示したが、遮光部１２が形成されておらず、且つ、例えば透光性を有する白色印刷等が形成されている領域によって表現されても良い。
また、遮光部１２は、透明板１１の表側の面にのみ形成されていてもよいし、透明板１１の表側の面と裏側の面との双方に形成されていてもよい。
【００５９】
以上の説明では、第２の領域Ｄ２に、第１光拡散部２２及び第２光拡散部２３を共に設けた例を説明したがこれに限られず、一方のみを設けても良い。つまり、光拡散部は、導光板２１の表側の面と裏側の面とのうち少なくとも一方に設けられていればよい。
また、第２の領域Ｄ２に、第１低屈折率部２４と第２低屈折率部２５との一方又は双方を設けなくともよい。例えば、指標表示部１００を第１光源６１からの光によって、より光らせたい場合は、このように第１低屈折率部２４と第２低屈折率部２５との一方又は双方を省略するのが好ましいときがある。
また、以上では、第１の領域Ｄ１において、光透過拡散部１４を、透明板１１の裏側の面に設けた例を示したが、これに限られない。光透過拡散部１４を、透明板１１の表側の面に設けてもよいし、透明板１１の表側の面と裏側の面との双方に設けてもよい。
【００６０】
また、光透過拡散部１４、第１光拡散部２２及び第２光拡散部２３は、印刷層等によって形成されていなくともよく、光拡散性を有するフィルム（シート）状の部材であってもよい。
また、光透過拡散部１４、第１光拡散部２２及び第２光拡散部２３は、透明板１１又は導光板２５に直接成形したものであってもよい。図４（ｂ）に、光透過拡散部１４を透明板１１の面に直接形成した一例を示す。この光透過拡散部１４は、透明板１１の面に直接、凹凸部等からなるドットパターン等を、マイクロドット、インプリント、エッチング等で成型したものである。図示しないが、第１光拡散部２２及び第２光拡散部２３についても同様な構成とすることができる。
また、光透過拡散部１４、第１光拡散部２２及び第２光拡散部２３は、透明板１１又は導光板２５の面に、光拡散性を有する気泡を設けたものであってもよい。
【００６１】
以上の説明では、低透過率部１３を透明板１１の表側の面に形成した例を示したが、裏側の面に設けても良いし、表側及び裏側の面の双方に設けても良い。
【００６２】
第１低屈折率部２４と第２低屈折率部２５とのうち一方を省略してもよい。
なお、導光板２１に第１低屈折率部２４及び第２低屈折率部２５の双方を設けないこともできる。これは、両者が設けられていなくても、導光板２１よりも空気の方が、光の屈折率が低いので、導光板２１と空気との界面では導光板２１に導光された光が全反射するからである。しかし、例えば、導光板２１の面に、導光板２１よりも屈折率が高い媒質（例えばゴミ等）が付着等した場合や、導光板２１の面に傷が付いた場合等に、その部分で光が透過、吸収等されてしまい、その結果、導光板２１の導光効率が悪くなってしまうおそれがある。そのため、両者を設けたほうが、設けない場合と比べて導光効率を向上させることができ、好ましい。
【００６３】
また、以上の説明では、指標表示部１００を点灯させるために、導光体８０を介して、第１光源６１からの光を、導光板２１の内壁部２１ｂから取り込む構成としたがこれに限られない。
例えば、導光板２１の外側の側面（外側の壁部）から（図３における左端又は右端側から）、光を取り込んで、指標表示部１００等を照明してもよい。また、この場合の光源もＬＥＤに限られず、冷陰極管、有機ＥＬ素子等から構成されてもよい。
【００６４】
以上の説明では、意匠表示部１０及び導光拡散部２０が平板状に形成される例を示したがこれに限られない。前述したように、導光拡散部２０と意匠表示部１０とは、別部材であるため、設計自由度が高く、例えば、意匠表示部１０のみを、圧空成型や絞り成型等で立体的な形状に加工することもできる。
【００６５】
以上の説明では、表示装置が車両に搭載される計器装置１である例を示したがこれに限られない。計器装置１は、車両以外の乗り物（船舶、航空機等）に搭載されるものであってもよいし、乗り物に搭載されないものであってもよい。さらには、表示装置は、計器装置１に限られない。上記に説明したのと同様な照明構造で、所定の意匠を表示する第１点灯表示部及び第２点灯表示部を、各々、独立した光源により点灯する表示装置であれば、どのようなものであってもよい（例えば、電光掲示板、時計等）。
【００６６】
以上の説明では、本発明の理解を容易にするために、重要でない公知の技術的事項の説明を適宜省略した。
【符号の説明】
【００６７】
１  計器装置
１０  意匠表示部
１１  透明板
１１ａ  貫通孔
１２  遮光部
１３  低透過率部
１４  光透過拡散部
Ｄ１  第１の領域
１００  指標表示部
１０１  目盛
１０２  数字
２００  警告表示部
２０１  記号
２０  導光拡散部
２１  導光板
２１ａ  貫通孔
２１ｂ  内壁部
２２  第１光拡散部
２３  第２光拡散部
２４  第１低屈折率部
２５  第２低屈折率部
Ｄ２  第２の領域
２６  遮光部
３０  回路基板
４０  モータ
４１  回転軸
５０  指針
６１  第１光源
６２  第２光源
７０  ホルダ
８０  導光体
８１  受光面
８２  反射面
８３  出射面
【図１】
2014048067.tif 000003
【図２】
2014048067.tif 000004
【図３】
2014048067.tif 000005
【図４】
2014048067.tif 000006